(57)【特許請求の範囲】
【請求項１】
遊技盤が取付けられた枠部材と、枠部材に枢着され遊技盤の前面側を開閉可能に覆う窓ガラスを有する開閉扉と、開閉扉に装着された複数の発光手段及び複数の発光手段を夫々駆動する複数の発光手段駆動回路と、複数の発光手段駆動回路に発光手段駆動用の電力を供給する電源手段と、複数の発光手段駆動回路に発光手段制御用の信号を供給する制御手段とを備えた遊技機において、
前記開閉扉に窓ガラスが着脱可能に装着され、
前記電源手段と複数の発光手段駆動回路を接続する電源ラインの一部と前記制御手段と複数の発光手段駆動回路を接続する制御ラインの一部の少なくとも一方を構成し且つ窓ガラスの周面側部分に沿って配線された窓ガラス周面側ラインと、
前記開閉扉に窓ガラスが装着された状態で窓ガラス周面側ラインと複数の発光手段駆動回路とを接続する複数のコネクタであって、窓ガラスの開閉扉への着脱動作に連動して窓ガラス周面側ラインと複数の発光手段駆動回路とを接続・分離する複数のコネクタとを備え、
前記窓ガラス周面側ラインは、前記複数の発光手段駆動回路が前記複数のコネクタを介して並列接続された１本の共通化ラインを有する、
ことを特徴とする遊技機。
【請求項２】
前記窓ガラス周面側ラインとして、複数の窓ガラス周面側ラインを備え、
その複数の窓ガラス周面側ラインの全てが夫々前記共通化ラインからなることを特徴とする請求項１に記載の遊技機。
【請求項３】
前記複数の窓ガラス周面側ラインは、夫々、窓ガラスの周縁部分に装着された環状保持部材に固定保持されたことを特徴とする請求項２に記載の遊技機。
【請求項４】
前記開閉扉に装着されて電源手段と制御手段の少なくとも一方に接続された中継基板を備え、
前記開閉扉に窓ガラスが装着された状態で中継基板と窓ガラス周面側ラインとを接続する第２のコネクタであって、開閉扉への窓ガラスの着脱動作に連動して中継基板と窓ガラス周面側ラインとを接続・分離する第２のコネクタを備えたことを特徴とする請求項１〜３の何れかに記載の遊技機。
【発明の詳細な説明】
【技術分野】
【０００１】
本発明は、遊技盤の前面側を覆う窓ガラスを有する開閉扉に発光手段及び発光手段駆動回路を装着し、特に、この発光手段駆動回路に駆動電力や制御信号を供給する為の配線構造を改善した遊技機に関するものである。
【背景技術】
【０００２】
従来、パチンコ機等の遊技機では、遊技盤が枠部材に取付けられ、窓ガラスを有する開閉扉が枠部材に枢着されて遊技盤の前面側を開閉可能に覆い、この開閉扉にランプが装着され、このランプが遊技演出のために点灯・点滅するように駆動制御される。そのために、ランプを駆動するランプ駆動回路が設けられ、このランプ駆動回路に電源装置からランプ駆動用の電力と制御装置からランプ制御用の信号とが供給される。
【０００３】
ところで、開閉扉に複数のランプを装着し、これらランプを複数グループに分けて夫々駆動する複数のランプ駆動回路を備えた遊技機が公知である。この遊技機では、開閉扉の複数のランプによる遊技演出の多彩性が向上するが、複数のランプ駆動回路に個別に複数本の駆動電力及び制御信号の入力用コードを接続して配線する必要がある。
【０００４】
尚、特許文献１には、電気機器を有するセーフ球受口器が遊技盤に装着され、そのセーフ球受口器の裏側に基板が固定的に配設され、この基板に形成された端子部がセーフ球受口機器の端子部に弾性的に圧接する技術が開示されている。また、特許文献２には、枠部材と開閉扉に夫々対応する複数の電極が設けられ、開閉扉を開けると複数の電極同士が分離され、開閉扉を閉めると複数の電極同士が接続される技術が開示されている。
【０００５】
【特許文献１】特開平５−７４５８５号公報
【特許文献２】特開２００２−６５９６１号公報
【発明の開示】
【発明が解決しようとする課題】
【０００６】
本願出願人は、開閉扉に複数のランプ及び複数のランプを駆動する複数のランプ駆動回路を装着した遊技機を実用化している又は実用化しつつあるが、前記のように、複数のランプ駆動回路に個別に複数本の駆動電力及び制御信号の入力用コードを接続して配線する必要があるため、複数のランプ駆動回路に対して必要なコードの本数がランプ駆動回路の数に比例して多くなる。
【０００７】
故に、この遊技機の組立時や分解時に、複数のランプ駆動回路の各々に対して複数本のコードを接続・分離する作業が必要になり、そのコードの接続・分離作業が非常に煩雑になる。そこで、ランプ駆動回路の数を減らすことが考えられるが、複数のランプを分けて夫々駆動するグループ数が減るため、複数のランプによる遊技演出の多彩性が低下する。
【０００８】
本発明の目的は、開閉扉に発光手段及び発光手段駆動回路を装着し、開閉扉に着脱可能な窓ガラスを利用して、発光手段駆動回路に駆動電力や制御信号を供給する為の配線構造を改善し、特に、複数の発光手段駆動回路に対して駆動電力や制御信号の入力用ラインを、窓ガラスの周面側部分に沿って配線された窓ガラス周面側ラインとして共通化し、その共通化した窓ガラス周面側ラインと複数の発光手段駆動回路との接続・分離作業を簡単化し、しかも、複数の発光手段による遊技演出の多彩性を維持することができる、遊技機を提供することである。
【課題を解決するための手段】
【０００９】
請求項１の遊技機は、遊技盤が取付けられた枠部材と、枠部材に枢着され遊技盤の前面側を開閉可能に覆う窓ガラスを有する開閉扉と、開閉扉に装着された複数の発光手段及び複数の発光手段を夫々駆動する複数の発光手段駆動回路と、複数の発光手段駆動回路に発光手段駆動用の電力を供給する電源手段と、複数の発光手段駆動回路に発光手段制御用の信号を供給する制御手段とを備えた遊技機において、前記開閉扉に窓ガラスが着脱可能に装着され、前記電源手段と複数の発光手段駆動回路を接続する電源ラインの一部と前記制御手段と複数の発光手段駆動回路を接続する制御ラインの一部の少なくとも一方を構成し且つ窓ガラスの周面側部分に沿って配線された窓ガラス周面側ラインと、前記開閉扉に窓ガラスが装着された状態で窓ガラス周面側ラインと複数の発光手段駆動回路とを接続する複数のコネクタであって、窓ガラスの開閉扉への着脱動作に連動して窓ガラス周面側ラインと複数の発光手段駆動回路とを接続・分離する複数のコネクタとを備え、前記窓ガラス周面側ラインは、前記複数の発光手段駆動回路が前記複数のコネクタを介して並列接続された１本の共通化ラインを有することを特徴としている。
【００１０】
この遊技機では、遊技盤が枠部材に取付けられ、窓ガラスを有する開閉扉が枠部材に枢着されて遊技盤の前面側を開閉可能に覆い、この開閉扉に複数の発光手段及び複数の発光手段を夫々駆動する発光手段駆動回路が装着され、この発光手段駆動回路に電源手段から発光手段駆動用の電力（駆動電力）と制御手段から発光手段制御用の信号（制御信号）が供給される。窓ガラスが開閉扉に着脱可能に装着され、この窓ガラスの周面側部分に沿って電源手段と複数の発光手段駆動回路を接続する電源ラインの一部と制御手段と複数の発光手段駆動回路を接続する制御ラインの少なくとも一方を構成する窓ガラス周面側ラインが配線され、複数のコネクタにより、開閉扉に窓ガラスが装着された状態で窓ガラス周面側ラインと複数の発光手段駆動回路とが接続されるとともに、開閉扉への窓ガラスの着脱動作に連動して窓ガラス周面側ラインと複数の発光手段駆動回路とが接続・分離される。
【００１２】
請求項２の遊技機は、請求項１の発明において、前記窓ガラス周面側ラインとして、複数の窓ガラス周面側ラインの全てが夫々前記共通化ラインからなることを特徴としている  。
【００１３】
請求項３の遊技機は、請求項２の発明において、前記複数の窓ガラス周面側ラインは、夫々、窓ガラスの周縁部分に装着された環状保持部材に固定保持されることを特徴としている。
【００１４】
請求項４の遊技機は、請求項１〜３の発明の何れかにおいて、前記開閉扉に装着されて電源手段と制御手段の少なくとも一方に接続された中継基板を備え、前記開閉扉に窓ガラスが装着された状態で中継基板と窓ガラス周面側ラインとを接続する第２のコネクタであって、開閉扉への窓ガラスの着脱動作に連動して中継基板と窓ガラス周面側ラインとを接続・分離する第２のコネクタを備えることを特徴としている。
【発明の効果】
【００１５】
請求項１の遊技機によれば、窓ガラスが着脱可能に装着された開閉扉に複数の発光手段及び複数の発光手段駆動回路を装着し、複数の発光手段駆動回路に電源手段から駆動電力と制御手段から制御信号とを供給し、電源手段と複数の発光手段駆動回路を接続する電源ラインの一部と制御手段と複数の発光手段駆動回路を接続する制御ラインの一部の少なくとも一方を構成し且つ窓ガラスの周面側部分に沿って配線された窓ガラス周面側ラインと、開閉扉に窓ガラスが装着された状態で窓ガラス周面側ラインと複数の発光手段駆動回路とを接続する複数のコネクタであって、開閉扉への窓ガラスの着脱動作に連動して窓ガラス周面側ラインと複数の発光手段駆動回路とを接続・分離する複数のコネクタとを備え、窓ガラス周面側ラインは、複数の発光手段駆動回路が複数のコネクタを介して並列接続された１本の共通化ラインを有する。
【００１６】
従って、開閉扉に着脱可能な窓ガラスを利用して、複数の発光手段駆動回路に駆動電力や制御信号を供給する為の配線構造を改善し、特に、複数の発光手段及び複数の発光手段駆動回路及び複数のコネクタを設けた場合、複数の発光手段駆動回路に対して駆動電力や制御信号の入力用のラインの一部を構成する窓ガラス周面側ラインは、複数の発光手段駆動回路が複数のコネクタを介して並列接続する１本の共通化ラインを有するので、この遊技機の組立時や分解時に、その１本の共通化した窓ガラス周面側ラインと複数の発光手段駆動回路との接続・分離作業を簡単化し、故に、共通化した窓ガラス周面側ラインを介して複数の発光手段駆動回路と電源手段や制御手段の接続・分離作業も共通に簡単に行うことができて、複数の発光手段駆動回路と電源手段や制御手段を含む駆動制御系の構築を簡単にでき、しかも、複数の発光手段による遊技演出の多彩性を維持することができる。
【００１８】
請求項２の遊技機によれば、窓ガラス周面側ラインとして、複数の窓ガラス周面側ラインを備え、その複数の窓ガラス周面側ラインの全てが夫々共通化ラインからなるので、複数の窓ガラス周面側ラインの夫々の共通化ラインを介してと複数の発光手段駆動回路と電源手段や制御手段の接続・分離作業も共通に簡単に行うことができて、複数の発光手段駆動回路と電源手段や制御手段を含む駆動制御系の構築を簡単にでき、しかも、複数の発光手段による遊技演出の多彩性を維持することができる。
【００１９】
請求項３の遊技機によれば、複数の窓ガラス周面側ラインを、夫々、窓ガラスの周縁部分に装着された環状保持部材に固定保持したので、複数の窓ガラス周面側ラインを窓ガラスの周面側部分に簡単に確実に配線することができ、つまり、環状保持部材を複数の窓ガラス周面側ラインの配線に有効活用でき、しかも、その環状保持部材により窓ガラス周面側ラインを保護する機能を兼ねることができる。
【００２０】
請求項４の遊技機によれば、開閉扉に装着されて電源手段と制御手段の少なくとも一方に接続された中継基板を備え、開閉扉に窓ガラスが装着された状態で中継基板と窓ガラス周面側ラインとを接続する第２のコネクタであって、開閉扉への窓ガラスの着脱動作に連動して中継基板と窓ガラス周面側ラインとを接続・分離する第２のコネクタを備えたので、窓ガラスを開閉扉に装着することで、複数の発光手段駆動回路を窓ガラス周面側ラインと中継基板を介して電源手段や制御手段に確実に簡単に接続することができ、開閉扉への窓ガラスの装着後に、窓ガラス周面側ラインと電源手段や制御手段とを接続するラインの接続作業を要することなく、複数の発光手段駆動回路と電源手段や制御手段を含む駆動制御系を非常に簡単に構築することができる。
【発明を実施するための最良の形態】
【００２１】
本発明の遊技機では、遊技盤が枠部材に取付けられ、窓ガラスを有する開閉扉が枠部材に枢着されて遊技盤の前面側を開閉可能に覆い、この開閉扉に発光手段及び発光手段を駆動する発光手段駆動回路が装着され、この発光手段駆動回路に電源手段から発光手段駆動用の電力（駆動電力）と制御手段から発光手段制御用の信号（制御信号）が供給され、窓ガラスが開閉扉に着脱可能に装着され、この窓ガラスの周面側部分に沿って、電源手段に接続された電源ラインと制御手段に接続された信号ラインが配線され、コネクタにより、開閉扉に窓ガラスが装着された状態で電源ライン及び信号ラインと発光手段駆動回路とが接続されるとともに、開閉扉への窓ガラスの着脱動作に連動して電源ライン及び信号ラインと発光手段駆動回路とが接続・分離される。
【実施例】
【００２２】
図１〜図４に示すように、弾球遊技機１（パチンコ機１）は、枠部材２、枠部材２に盤面が前方へ向くように取付けられた遊技盤３、枠部材２に枢着され枠部材２及び遊技盤３の前面側を開閉可能に覆う窓ガラス４を有する開閉扉５、遊技盤３の盤面に形成され周囲がレール６で区画され前側が窓ガラス４で覆われた遊技領域７、遊技球（パチンコ球）を貯留する貯留皿８、遊技球を遊技領域７へ発射する発射機構９、遊技領域７に設けられた複数の入賞口１１ａ〜１１ｄと排出口１２、遊技球を払出す払出機構１３を備えている。
【００２３】
発射機構９により、遊技者が発射ハンドル９ａを回動操作することで、貯留皿８に貯留された複数の遊技球が遊技領域７へ順次発射され、遊技領域７に投入された遊技球は、複数の入賞口１１ａ，１１ｃ，１１ｄの何れかに入賞すると回収され、複数の入賞口１１ａ，１１ｃ，１１ｄの何れにも入賞しない場合には最終的に排出口１２から回収される。遊技球が入賞口１１ａ，１１ｃ，１１ｄに入賞した場合、払出機構１３により、入賞口１１ａ，１１ｃ，１１ｄに応じた設定数の遊技球が貯留皿８に払出される。
【００２４】
弾球遊技機１は、遊技領域７に設けられた第１，第２表示器１４ａ，１４ｂ、第２始動口１１ｃ（入賞口１１ｃ）を開閉する第２始動口開閉機構１５、大入賞口１１ｄ（入賞口１１ｄ）を開閉する大入賞口開閉機構１６、液晶ディスプレイ１７とスピーカ１８ａ，１８ｂと第１〜第５ＬＥＤ装置１９ａ〜１９ｅとを有する演出機構２０を備えている。液晶ディスプレイ１７は遊技盤３に装着され、スピーカ１８ａ，１８ｂは枠部材２に装着され、第１〜第５ＬＥＤ装置１９ａ〜１９ｅは開閉扉５に装着されている。
【００２５】
遊技球の第１始動口１１ｂ（入賞口１１ｂ）への入賞に基づいて、主制御装置３０により内部抽選が行われ、その抽選結果が第１表示器１４ａに表示されるが、その内部抽選に当選すると、第１表示器１４ａの表示が当選表示となって、第２始動口開閉機構１５により、通常閉塞状態の第２始動口１１ｃが開放され、所定時間（例えば、０．５秒）経過する又は所定数（例えば、６個）の遊技球が第２始動口１１ｃに入賞すると、第２始動口１１ｃが通常閉塞状態に戻る。
【００２６】
遊技球の第２始動口１１ｃへの入賞に基づいて、主制御装置３０により内部抽選が行われ、その抽選結果が第２表示器１４ｂに表示されるが、その内部抽選に当選すると、第２表示器１４ｂの表示に当選表示となって、遊技者に有利な利益状態になり、大入賞口開閉機構１６により通常閉状態の大入賞口１１ｄが開放され、所定時間（例えば３０秒）経過する又は所定数（例えば、９個）の遊技球が大入賞口１１ｄに入賞すると、大入賞口１１ｄが閉塞され、この大入賞口１１ｄの開閉が所定回（例えば、１６回）繰返し行われてから、大入賞口１１ｄが通常閉塞状態に戻る。
【００２７】
演出機構２０では、特に、遊技球が第２始動口１１ｃに入賞して、主制御装置３０による内部抽選の結果が第２表示器１４ｂに表示される迄の間、その抽選結果に応じた演出が行われ、例えば、液晶ディスプレイ１７に演出図柄を変動させ停止させる表示を含む演出表示が行われ、この演出表示に合わせて、スピーカ１８ａ，１８ｂからの音声出力や第１〜第５ＬＥＤ装置１９ａ〜１９ｅの点灯点滅が行われ、第２表示器１４ｂの表示に当選表示となって利益状態になった場合には、その利益状態の演出も行われる。
【００２８】
図４に示すように、弾球遊技機１は、複数の入賞口１１ａ〜１１ｄに入賞した遊技球を検出する複数の入賞スイッチ２１ａ〜２１ｄ、個々に独立の基板（図示略）上に構成された主制御装置３０、払出制御装置３１、演出制御装置３２、電源装置３３を備え、主制御装置３０と払出制御装置３１、主制御装置３０と演出制御装置３２が、夫々、複数の信号線によって接続されている。
【００２９】
主制御装置３０、払出制御装置３１、演出制御装置３２は、夫々、ＣＰＵ３０ｂ，３１ｂ，３２ｂとＲＯＭ３０ｃ，３１ｃ，３２ｃとＲＡＭ３０ｄ，３１ｄ，３２ｄを有するコンピュータ３０ａ，３１ａ，３２ａを備えている。主制御装置３０が、入賞スイッチ２１ａ〜２１ｄによる検出に基づいて、第１，第２表示器１４ａ，１４ｂ、第１始動口開閉機構１５、大入賞口開閉機構１６を制御する。
【００３０】
主制御装置３０は、遊技球の払出しに関する情報を払出制御装置３１へ出力し、演出に関する情報を演出制御装置３２へ出力する。払出制御装置３１は、主制御装置３０から受けた情報に基づいて払出機構１３を制御し、演出制御装置３２は、主制御装置３０から受けた情報に基づいて、液晶ドライバ１７ａを介して液晶ディスプレイ１７を制御し、スピーカ１８ａ，１８ｂを制御し、第１〜第５ＬＥＤ駆動回路３４ａ〜３４ｅを介して第１〜第５ＬＥＤ装置１９ａ〜１９ｅを制御する。第１〜第５ＬＥＤ駆動回路３４ａ〜３４ｅは開閉扉５に装着されている。
【００３１】
電源装置３３は、払出機構１３、第１，第２表示器１４ａ，１４ｂ、第２始動口開閉機構１５、大入賞口開閉機構１６、主制御装置３０、払出制御装置３１、演出制御装置３２、第１〜第５ＬＥＤ駆動回路３４ａ〜３４ｅ等に電力を供給するものであり、スピーカ１８ａ，１８ｂ及び第１〜第５ＬＥＤ装置１９ａ〜１９ｅ等の駆動用のＤＣ１２Ｖを生成し、主制御装置３０、払出制御装置３１、演出制御装置３２、第１〜第５ＬＥＤ駆動回路３４ａ〜３４ｅのドライバ３４ｍの駆動用のＤＣ５Ｖを生成する。
【００３２】
次に、開閉扉５、第１〜第５ＬＥＤ装置１９ａ〜１９ｅ、第１〜第５ＬＥＤ駆動回路３４ａ〜３４ｅ、第１〜第５ＬＥＤ駆動回路３４ａ〜３４ｅに駆動電力及び制御信号を供給する為の配線構造、等について詳細に説明する。
【００３３】
図１、図２、図５〜図８に示すように、開閉扉５は正面視矩形に形成され、開閉扉５の左端部がヒンジ５ａにより枠部材２の左端部に鉛直軸心回りに回動自在に枢支され、開閉扉５の右端部がキー５ｂにより枠部材２の右端部に解除可能にロックされている。開閉扉５に遊技領域７を見通す窓５ｃが形成され、窓ガラス４は窓５ｃよりも少し大きいサイズに形成されて、開閉扉５に窓５ｃを覆うように裏面側から着脱可能に装着されている。
【００３４】
窓ガラス４は、例えば、２重ガラスからなり、その２重ガラスが間に透明な防湿剤を挟んで重ね合わされ、この窓ガラス４（２重ガラス）の周縁部分に、窓ガラス４の周面形状に沿った環状保持部材４ａが装着されて、２重ガラスが固定保持されている。環状保持部材４ａには、上部に１対と下部に１対の合計４つの取付部４ｂが設けられ、これら取付部４ｂが夫々締結部材４ｃにより開閉扉５の裏面部に取外し可能に締結されている。
【００３５】
開閉扉５の上部にスピーカ１８ａ，１８ｂ用の放音口１８ａ１，１８ｂ１が形成され、開閉扉５には、その窓５ｃの水平な下端縁以外の周縁に沿って、第１〜第５ＬＥＤ基板３５ａ〜３５ｅが順次少しの隙間を空けて並ぶように配置固定され、この第１〜第５ＬＥＤ基板３５ａ〜３５ｅに、第１〜第５ＬＥＤ装置１９ａ〜１９ｅを駆動する第１〜第５ＬＥＤ駆動回路３４ａ〜３４ｅが夫々実装されている。
【００３６】
各第１〜第５ＬＥＤ装置１９ａ〜１９ｅは、複数のＬＥＤカバー１９ｍと、各ＬＥＤカバー１９ｍで覆われた複数のＬＥＤ１９ｎを有し、ＬＥＤカバー１９ｍが開閉扉５に装着され、ＬＥＤ１９ｎが対応するＬＥＤ基板３５ａ〜３５ｅに実装されている。全ＬＥＤ装置１９ａ〜１９ｅの複数のＬＥＤカバー１９ｍ及び複数のＬＥＤ１９ｎは、開閉扉５の窓５ｃの周縁に沿って整然と配列されている。尚、複数のＬＥＤ１９ｎが夫々発光手段に相当し、第１〜第５ＬＥＤ駆動回路３４ａ〜３４ｅが夫々発光手段駆動回路に相当する。
【００３７】
ここで、図１４〜図１６に示すように、開閉扉５は、窓５ｃと放音口１８ａ１，１８ｂ１とを形成する枠状の扉本体５ｄと、扉本体５ｄの前面側に取付けられた湾曲門形の発光装置ケース５ｅとを有する。複数のＬＥＤ基板３５ａ〜３５ｅは、夫々、複数（例えば、１対）のビス５ｆにより扉本体５ｄの前面部に取付けられて、前記のように、窓５ｃの下端縁以外の周縁に沿って順次少しの隙間を空けて整然と配列され、これらＬＥＤ基板３５ａ〜３５ｅの前面側が発光装置ケース５ｅにより覆われている。
【００３８】
ＬＥＤ基板３５ｂ〜３５ｆについては、放音口１８ａ１，１８ｂ１を塞がないように配設されている。発光装置ケース５ｅは、その本体ケース５ｇが扉本体５ｄに着脱可能に装着されるとともに、その本体ケース５ｇに複数の半透明のＬＥＤカバー１９ｍが取付けられている。尚、発光装置ケース５ｅには、放音口１８ｂ１に対応する放音口形成部５ｈが一体形成されている。
【００３９】
図４、図９、図１０に示すように、第１〜第５ＬＥＤ駆動回路３４ａ〜３４ｅには、夫々、電源装置３３からＬＥＤ駆動用の電力（駆動電力）と演出制御装置３２からＬＥＤ制御用の信号（制御信号）が供給され、そのために、中継基板３６が開閉扉５に装着されて、電源ライン４０により電源装置３３に接続され、信号ライン５０により演出制御装置３２に接続されている。中継基板３６は開閉扉５の裏面部のうち窓５ｃの周縁付近部（望ましくは、第１ＬＥＤ基板３５ａの近傍）に配置固定されている。
【００４０】
そして、窓ガラス４の周縁側部分に沿って電源ライン４１と信号ライン５１が配線され、コネクタ６０（第２のコネクタ６０）により、開閉扉５に窓ガラス４が装着された状態で中継基板３６と電源ライン４１及び信号ライン５１とが接続され、つまり、中継基板３６を介して電源ライン４０，４１同士と信号ライン５０，５１同士が接続されるとともに、開閉扉５への窓ガラス４の着脱動作に連動して中継基板３６と電源ライン４１及び信号ライン５１とが接続・分離される。
【００４１】
コネクタ６０は、開閉扉５の中継基板３６に装着された扉側コネクタ６０ｍと、窓ガラス４に装着されたガラス側コネクタ６０ｎからなり、これらコネクタ６０ｍ，６０ｎが前後方向（窓ガラス４の着脱方向）から対向するように構成されたもの（例えば、雄雌コネクタ）であり、扉側コネクタ６０ｍに電源ライン４０と信号ライン５０が接続され、ガラス側コネクタ６０ｎに電源ライン４１と信号ライン５１が接続されている。
【００４２】
また、第１〜第５コネクタ６１ａ〜６１ｅにより、開閉扉５に窓ガラス４が装着された状態で電源ライン４１及び信号ライン５１と第１〜第５ＬＥＤ駆動回路３４ａ〜３４ｅ（第１〜第５ＬＥＤ基板３５ａ〜３５ｅ）とが夫々接続されるとともに、開閉扉５への窓ガラス４の着脱動作に連動して電源ライン４１及び信号ライン５１と第１〜第５ＬＥＤ駆動回路３４ａ〜３４ｅとが夫々接続・分離される。
【００４３】
第１〜第５コネクタ６１ａ〜６１ｅの各々は、窓ガラス４に装着されたガラス側コネクタ６１ｍと、開閉扉５の対応するＬＥＤ基板３５ａ〜３５ｅに装着された扉側コネクタ６１ｎからなり、コネクタ６０と同様に、これらコネクタ６１ｍ，６１ｎが前後方向から対向するように構成されたものであり、ガラス側コネクタ６１ｍに電源ライン４１と信号ライン５１が接続され、扉側コネクタ６１ｎに対応するＬＥＤ駆動回路３４ａ〜３４ｅが接続されている。
【００４４】
図１０〜図１２に示すように、各ＬＥＤ駆動回路３４ａ〜３４ｅは、集積回路からなるドライバ３４ｍを備え、第１〜第５ＬＥＤ駆動回路３４ａ〜３４ｅに、夫々、駆動電力を供給する為の「ＤＣ１２Ｖ」「ＤＣ５Ｖ」「ＧＮＤ」「ＧＮＤ」の４系統が供給され、また、制御信号として「ＣＬＫ」「ＬＡＴＣＨ」「ＥＮＡＢＬＥ」「ＤＡＴＡ」の４系統が供給される。尚、「ＤＣ５Ｖ」がドライバ３４ｍの駆動に用いられ、「ＤＣ１２Ｖ」がＬＥＤ１９ｎの駆動に用いられる。
【００４５】
そのために、電源ライン４０，４１として、夫々、４本の電源ライン４０ａ〜４０ｄ，４１ａ〜４１ｄを備え、信号ライン５０，５１として、夫々、４本の信号ライン５０ａ〜５０ｄ，５１ａ〜５１ｄを備えている。つまり、コネクタ６０により、８本の電源ライン４０ａ〜４０ｄ及び信号ライン５０ａ〜５０ｄと、８本の電源ライン４１ａ〜４１ｄ及び信号ライン５１ａ〜５１ｄとが接続・分離され、第１〜第５コネクタ６１ａ〜６１ｅの各々により、８本の電源ライン４１ａ〜４１ｄ及び信号ライン５１ａ〜５１ｄと対応するＬＥＤ駆動回路３４ａ〜３４ｅとが接続・分離される。
【００４６】
「ＣＬＫ」「ＬＡＴＣＨ」「ＥＮＡＢＬＥ」に対応する３本の信号ライン５１ａ〜５１ｃについては、第１〜第５ＬＥＤ駆動回路３４ａ〜３４ｅに並列に接続されており、「ＤＡＴＡ」に対応する信号ライン５１ｄについては、第１〜第５ＬＥＤ駆動回路３４ａ〜３４ｅを直列に接続するラインとなっている。つまり、３本の信号ライン５１ａ〜５１ｃは、夫々、５つのガラス側コネクタ６１ｍに並列接続された１本のラインからなり、信号ライン５１ｄは、隣り合うガラス側コネクタ６１ｍを接続する４本のラインからなる。
【００４７】
「ＤＡＴＡ」は、複数ビット分のシリアルデータで構成され、第１〜第５ＬＥＤ駆動回路３４ａ〜３４ｅに順次供給されるが、ＬＥＤ駆動回路３４ａ〜３４ｅにおいて、例えば、「ＬＡＴＣＨ」を受けて必要な「ＤＡＴＡ」が取込まれ、ＬＥＤ駆動回路３４ａ〜３４ｄにおいて、「ＥＮＡＢＬＥ」を受けて「ＬＡＴＣＨ」で保持された「ＤＡＴＡ」が出力され、つまり、複数のＬＥＤ１９ｎが発光制御される。
【００４８】
尚、図１１は第１〜第４ＬＥＤ駆動回路３４ａ〜３４ｄを示し、図１２は第５ＬＥＤ駆動回路３５ｅを示している。尚、８本の電源ライン４１ａ〜４１ｄ及び信号ライン５１ａ〜５１ｄが、複数の窓ガラス周面側ラインに相当する。
【００４９】
８本の電源ライン４１ａ〜４１ｄ及び信号ライン５１ａ〜５１ｄは、窓ガラス４の周面側部分に固定的に配線され、具体的には、窓ガラス４の周縁部分に装着された環状保持部材４ａに固定保持されている。電源ライン４１ａ〜４１ｄ及び信号ライン５１ａ〜５１ｄは、例えば、環状保持部材４ａの周面部に固着された複数の金属箔ラインからなり、これら金属箔ラインは、例えば、環状保持部材４ａの外周面にプリント成形されている。
【００５０】
その他、電源ライン４１ａ〜４１ｄ及び信号ライン５１ａ〜５１ｄについては、これらラインに対応する複数の金属箔ラインをプリント成形した、或いは、これらラインに対応する複数のコードを埋め込んだ、可撓性のある帯状部材を、環状保持部材４ａの外周面に巻付けて配線してもよいし、これらラインに対応する複数のコードを束ねて、例えば、窓ガラス４の２枚のガラス間の凹部に埋め込むようにして配線してもよい。
【００５１】
以上説明した遊技球１によれば次の効果を奏する。
窓ガラス４が着脱可能に装着された開閉扉５に複数のＬＥＤ１９ｎ及び複数のＬＥＤ駆動回路３４ａ〜３４ｅを装着し、複数のＬＥＤ駆動回路３４ａ〜３４ｅに夫々電源装置３３から駆動電力と演出制御装置３２から制御信号とを供給する。
【００５２】
そして、電源装置３３に接続され窓ガラス４の周面側部分に沿って配線された電源ライン４１と、開閉扉５に窓ガラス４が装着された状態で電源ライン４１と複数のＬＥＤ駆動回路３４ａ〜３４ｅを夫々接続する複数のコネクタ６１ａ〜６１ｅであって、開閉扉５への窓ガラス４の着脱動作に連動して電源ライン４１と複数のＬＥＤ駆動回路３４ａ〜３４ｅとを夫々接続・分離する複数のコネクタ６１ａ〜６１ｅとを備えた。
【００５３】
つまり、開閉扉５に着脱可能な窓ガラス４を利用して、複数のＬＥＤ駆動回路３４ａ〜３４ｅに駆動電力を供給する為の配線構造を改善し、即ち、複数のＬＥＤ駆動回路３４ａ〜３４ｅに対して駆動電力の入力用のラインを電源ライン４１として共通化し、この弾球遊技機１の組立時や分解時に、その共通化した電源ライン４１と複数のＬＥＤ駆動回路３４ａ〜３４ｅとの接続・分離作業を簡単化し、故に、共通化した電源ライン４１と電源装置３３とを接続する電源ライン４０の接続・分離作業も共通に簡単に行える。
【００５４】
また、演出制御装置３１に接続され窓ガラス４の周面側部分に沿って配線された信号ライン５１を備え、複数のコネクタ６１ａ〜６１ｅは、開閉扉５に窓ガラス４が装着された状態で信号ライン５１と複数のＬＥＤ駆動回路３４ａ〜３４ｅとを夫々接続するとともに、開閉扉５への窓ガラス４の着脱動作に連動して信号ラインと複数のＬＥＤ駆動回路３４ａ〜３４ｅとを夫々接続・分離するように構成した。
【００５５】
つまり、開閉扉５に着脱可能な窓ガラス４を利用して、複数のＬＥＤ駆動回路３４ａ〜３４ｅに制御信号を供給する為の配線構造を改善し、即ち、複数のＬＥＤ駆動回路３４ａ〜３４ｅに対して制御信号の入力用のラインを信号ライン５１として共通化し、この弾球遊技機１の組立時や分解時に、その共通化した信号ライン５１と複数のＬＥＤ駆動回路３４ａ〜３４ｅとの接続・分離作業を簡単化し、故に、共通化した信号ライン５１と演出制御装置３１とを接続する信号ライン５０の接続・分離作業も共通に簡単に行える。
【００５６】
故に、複数のＬＥＤ駆動回路３４ａ〜３４ｅと電源装置３３と演出制御装置３１を含む駆動制御系の構築を簡単にでき、しかも、開閉扉５に装着された複数のＬＥＤ１９ｎによる遊技演出の多彩性を維持することができる。
【００５７】
電源ライン４１として、窓ガラス４の周面側部分に固定的に配線された複数の電源ライン４１ａ〜４１ｄを備え、信号ライン５１として、窓ガラス４の周面側部分に固定的に配線された複数の信号ライン５１ａ〜５１ｄを備えたので、各ＬＥＤ駆動回路３４ａ〜３４ｅ及び各ＬＥＤ駆動回路３４ａ〜３４ｅに対応する複数のＬＥＤ１９ｎを確実に駆動することができ、複数のＬＥＤ駆動回路３４ａ〜３４ｅにより夫々複数のＬＥＤ１９ｎを確実に制御することができる。
【００５８】
複数の電源ライン４１ａ〜４１ｄ及び信号ライン５１ａ〜５１ｄを、夫々、窓ガラス４の周縁部分に装着された環状保持部材４ａに固定保持したので、複数の電源ライン４１ａ〜４１ｄ及び信号ライン５１ａ〜５１ｄを窓ガラス４の周面側部分に簡単に確実に配線することができ、つまり、環状保持部材４ａを複数の電源ライン４１ａ〜４１ｄ及び信号ライン５１ａ〜５１ｄの配線に有効活用でき、しかも、環状保持部材４ａにより電源ライン４１ａ〜４１ｄ及び信号ライン５１ａ〜５１ｄを保護する機能を兼ねることができる。
【００５９】
また、開閉扉５に装着されて電源装置３３及び演出制御装置３１に電源ライン４０及び信号ライン５０で接続された中継基板３６を備え、開閉扉５に窓ガラス４が装着された状態で中継基板３６と電源ライン４１及び信号ライン５１とを接続するコネクタ６０であって、開閉扉５への窓ガラス４の着脱動作に連動して中継基板３６と電源ライン４１及び信号ライン５１とを接続・分離するコネクタ６０を備えた。
【００６０】
つまり、窓ガラス４を開閉扉５に装着することで、複数のＬＥＤ駆動回路３４ａ〜３４ｅを電源ライン４１及び信号ライン５１と中継基板３６を介して電源装置３３及び演出制御装置３１に確実に簡単に接続することができ、開閉扉５への窓ガラス４の装着後に、電源ライン４１及び信号ライン５１と電源装置３３及び演出制御装置３１とを接続するライン４０，５０の接続作業を要することなく、複数のＬＥＤ駆動回路３４ａ〜３４ｅと電源装置３３と演出制御装置３１とを含む駆動制御系を非常に簡単に構築することができる。
【００６１】
尚、中継基板３６と電源ライン４１及び信号ライン５１とを接続・分離するコネクタ６０、電源ライン４１及び信号ライン５１と複数のＬＥＤ駆動回路３４ａ〜３４ｅと夫々接続・分離するコネクタ６１ａ〜６１ｅについては、その代わりとして種々のコネクタを採用することができる。
【００６２】
例えば、図１３に示すように、中継基板３６と電源ライン４１及び信号ライン５１とを接続・分離するコネクタ７０において、開閉扉５の中継基板３６に装着された扉側コネクタ７０ｍと、窓ガラス４に装着されたガラス側コネクタ７０ｎとが、窓ガラス４の面平行方向から対向するように構成されている。扉側コネクタ７０ｍは中継基板３６に後方突出状に装着され、ガラス側コネクタ７０ｎは窓ガラス４の周面側部分に装着され、窓ガラス４が開閉扉５に装着されると、扉側コネクタ７０ｍがガラス側コネクタ７０ｎに弾性的に圧接して、中継基板３６と電源ライン４１及び信号ライン５１とが確実に接続される。
【００６３】
電源ライン４１及び信号ライン５１と複数のＬＥＤ駆動回路３４ａ〜３４ｅ（ＬＥＤ基板３５ａ〜３５ｅ）と夫々接続・分離するコネクタ７１ａ〜７１ｅの各々において、窓ガラス４に装着されたガラス側コネクタ７１ｍと、開閉扉５のＬＥＤ基板３５ａ〜３５ｅに装着された扉側コネクタ７１ｎとが、窓ガラス４の面平行方向から対向するように構成されている。ガラス側コネクタ７１ｍは窓ガラス４の周面側部分に装着され、扉側コネクタ７１ｎはＬＥＤ基板３５ａ〜３５ｅに後方突出状に装着され、窓ガラス４が開閉扉５に装着されると、扉側コネクタ７１ｎがガラス側コネクタ７１ｍに弾性的に圧接して、電源ライン４１及び信号ライン５１とＬＥＤ駆動回路３４ａ〜３４ｅとが確実に接続される。
【００６４】
尚、開閉扉５に装着されるＬＥＤ１９ｎやＬＥＤ駆動回路３４ａ〜３４ｅの数（例えば、各ＬＥＤ駆動回路３４ａ〜３４ｅに対するＬＥＤ１９ｎの数を１個としてもよいし、ＬＥＤ駆動回路３４ａ〜３４ｅの数を１個としてもよい）、窓ガラス４の周面側部分に配線される電源ライン４１や信号ライン５１の数、等々については適宜変更可能である。また、信号ライン５１又は電源ライン５０については、窓ガラス４の周面側部分に配線することは必須ではなく、つまり、窓ガラス４の周面側部分には電源ライン５０のみを配線してもよいし、信号ライン５１のみを配線してもよい。
【００６５】
その他、本発明の趣旨を逸脱しない範囲において、種々の変更を付加して実施可能である。例えば、ＬＥＤ１９ｎに代わる種々の発光手段を採用し、それに応じて、発光手段を駆動する種々の発光手段駆動回路を採用可能である。そして、前記実施例に開示した弾球遊技機以外に、種々のパチンコ機等の弾球遊技機に本発明を適用可能である。
【図面の簡単な説明】
【００６６】
【図１】弾球遊技機の前方上側から斜視図である。
【図２】弾球遊技機の正面図である。
【図３】遊技盤の正面図である。
【図４】弾球遊技機の駆動制御系のブロック図である。
【図５】開閉扉の後方上側からの斜視図である。
【図６】開閉扉の後面図である。
【図７】窓ガラスの後面図である。
【図８】窓ガラスの側面図である。
【図９】弾球遊技機の駆動制御系の要部の配線構造を示すブロック図である。
【図１０】開閉扉と窓ガラス等の模式的な側面図である。
【図１１】ＬＥＤ駆動回路の回路図である。
【図１２】他のＬＥＤ駆動回路の回路図である。
【図１３】変形例の開閉扉と窓ガラス等の模式的な側面図である。
【図１４】開閉扉の前側からの分解斜視図である。
【図１５】開閉扉の後側からの分解斜視図である。
【図１６】開閉扉の扉本体の前側からの斜視図である。
【符号の説明】
【００６７】
１  弾球遊技機
２  枠部材
３  遊技盤
４  窓ガラス
４ａ  環状保持部材
５  開閉扉
１９ｎ  ＬＥＤ
３２  演出制御装置
３３  電源装置
３４ａ〜３４ｅ  ＬＥＤ駆動回路
３６  中継基板
４１（４１ａ〜４１ｄ）  電源ライン
５１（５１ａ〜５１ｄ）  信号ライン
６０，７０  コネクタ
６１ａ〜６１ｅ，７１ａ〜７１ｅ  コネクタ
【図１】
0004671301.tif 000002
【図２】
0004671301.tif 000003
【図３】
0004671301.tif 000004
【図４】
0004671301.tif 000005
【図５】
0004671301.tif 000006
【図６】
0004671301.tif 000007
【図７】
0004671301.tif 000008
【図８】
0004671301.tif 000009
【図９】
0004671301.tif 000010
【図１０】
0004671301.tif 000011
【図１１】
0004671301.tif 000012
【図１２】
0004671301.tif 000013
【図１３】
0004671301.tif 000014
【図１４】
0004671301.tif 000015
【図１５】
0004671301.tif 000016
【図１６】
0004671301.tif 000017